(57)【要約】【課題】デジタルプリント部位と当該部位の下および周囲の地色を有する衣服等の繊維製品を提供する。【解決手段】布帛の少なくとも一部位がデジタルプリント方式で着色された部位を有し、かつ当該部位の地色として当該部位の下および周囲が１％ｏｗｆ以下の淡色染色がなされていることを特徴とする特殊プリント物であり、また  袖部、胴部、ポケット部等の複数部位から構成される衣服であって、該複数部位の少なくとも一部位がデジタルプリント方式で着色された部位を有し、かつ当該部位の地色として当該部位の下および周囲が１％ｏｗｆ以下の淡色染色がなされていることを特徴とする特殊プリント物。【特許請求の範囲】
【請求項１】
布帛の少なくとも一部位がインクジェット方式等のデジタルプリント方式で着色された（Ａ）部位を有し、かつ（Ａ）部位の地色として（Ａ）部位の下および周囲が１％ｏｗｆ以下の淡色染色がなされていることを特徴とする特殊プリント物。
【請求項２】
袖部、胴部、左脚部、右脚部、ポケット部等の複数部位から構成される衣服であって、該複数部位の少なくとも一部位がインクジェット方式等のデジタルプリント方式で着色された（Ａ）部位を有し、かつ（Ａ）部位の地色として（Ａ）部位の下および周囲が１％ｏｗｆ以下の淡色染色がなされていることを特徴とする特殊プリント物。
【請求項３】
インクジェット方式等のデジタルプリント方式で着色された（Ａ）部位が、ポリエステル繊維を６０（重量）％以上含む布帛である請求項１および２記載の特殊プリント物。
【請求項４】
（Ａ）部位が昇華性染料で染色されかつ（Ａ）部位の地色が反応性染料で染色された請求項１、２および３記載の特殊プリント物。
【請求項５】
地色として布帛を浸染または糸染めで１％ｏｗｆ以下の染色をして地色淡色染を行った淡色染め布帛を得て、得られた布帛の部位（Ａ）にインクジェット方式等のデジタルプリント方式で染色することを特徴とする特殊プリント物の製法。
【発明の詳細な説明】
【０００１】
【発明の属する技術分野】
本発明は、少なくともインクジェット方式等のデジタルプリント方式で着色した一部位を有し、該部位の地の部分が例えば浸染又は糸染めで淡色に染色され、該地色部は、繊細なインクジェット画像を浮きあがらせる淡色地色となり、「抜染」や「型抜き染め」の必要がない、美麗な画像が形成された特殊プリント物とその製法に関する。
【０００２】
【従来の技術】
【０００３】
【特許文献１】
特開平０６−０６５８７４号公報
織物、編物、織編物などの布帛製品へのプリント（着色又は染色）のあり方は多様である。例えばファイバーやフィラメントや糸条などの布帛を構成するものに着色する所謂「糸染め」をし、これらを布帛とする着色の方法、布帛を浸染する方法、布帛を特定部分のみ捺染する方法、などが古くから知られている。
近年、インクジェット方式で布帛に着色する方法も提案されている。
大量生産にはこれらのうち、糸染め、浸染が多用され、捺染技術の発達で捺染方式も多用されてきている。
近年、個性的な他人と異なる図柄のまたは縫製の個性的な衣服が好まれるようになりつつあり、個人が個人のために衣服を作成する際には独自の着色、独自の縫製などが可能であるが、かかる個々の衣服製造方式は、コストが極めて高くなり、衣服・アパレル産業としては到底採用することができない。
【０００４】
インクジェットプリンターを使用して衣服や布帛に直接染色すること（ダイレクトインクジェット方式）や、衣服にインクジェット方式や他の方式で得た図柄紙を以って転写し着色する方式（転写方式）も採用され、これらの方式で個性的な衣服を得ることも提案されている。
しかし、インクジェットプリンターを使用して衣服や布帛に直接染色すること（ダイレクトインクジェット方式）では、同一銘柄の大量生産には適しているが、小ロットである個人の好みに対応した衣服に対処し難い課題を有している。
【０００５】
例えば、衣服にインクジェット方式でインクをダイレクトに適応させるダイレクトインクジェット方式、インクジェット方式や他の方式で得た図柄紙を以って転写し着色する方式（転写方式）においても、衣服にプリント（着色）するときは、プリントする前の衣服（例えばＴシャツ等）が白地に特定され、プリントされた図柄が白地の中で孤立したものとなる嫌いがある。
また白地でない地色の衣服にプリントしたときは、プリントする図柄が単純で色調整が単純な場合は、地色との重なりによる色の変化を予め補正することも可能であるが、インクジェットによる細密な画像をプリントせんとする主旨から細密画像の細部の全ての色を補正することは極めて困難となる。例えば、地色が緑色の衣服の一部位に薔薇の花の細密写真を画像としてプリントした時には真っ赤な花びら部が青味色のものとなり、まして花びらの赤みが微妙に変化している場合や葉や枝等が同時にプリントされる場合はそれら全ての色調整はきわめて困難となる。
そのための解決方法の一として特開平０６−０６５８７４号公報に記載の抜染
方法があり、抜染方法は当該公報以外にも多数提案されている。
しかし抜染方法は、特殊な抜染剤を使用すること工程が複雑になることに加えて、細密な画像の全ての細部に抜染が細密に施しがたい課題を有している。
また、これらの課題を回避するために地色の上に光透過性の少ない顔料プリントすることも知られているが、その風合いは染色した場合に比べて格段に劣るものである。
【０００６】
【発明が解決しようとする課題】
このように個人的な好みにできるだけ小ロットで対応しうる衣服や繊維製品であって、且つコスト的低減の可能な衣服や布帛、及びそれらの衣や布帛を個人に素早く提供でき、従来のインクジェットプリントの有する細密画像をプリントしたものでかつ地色が白一色でないファッション性の高い製品が求められてきた。
【０００７】
本発明は、個人的な好みにできるだけ小ロットで対応しうるインクジェット方式で細密な画像などをプリントしたかつ地色が白でない淡色地色を有する衣服等の繊維製品を提供することができ、且つコスト的低減の可能な衣服などの製作、及びそれらの衣服や布帛を個人に素早く提供し、従来のインクジェットプリント方式での折角の細密画像が地色として白に限定される問題と、地色を白以外に染色してインクジェットプリントする際の、型抜き染色や抜染および色調整の困難さ等の課題を解決せんとするものである。
【０００８】
【課題を解決するための手段】
すなわち本発明は、布帛の少なくとも一部位がインクジェット方式等のデジタルプリント方式で着色された（Ａ）部位を有し、かつ（Ａ）部位の地色として（Ａ）部位の下および周囲が１％ｏｗｆ以下の淡色染色がなされていることを特徴とする特殊プリント物であり、袖部、胴部、左脚部、右脚部、ポケット部等の複数部位から構成される衣服であって、該複数部位の少なくとも一部位がインクジェット方式等のデジタルプリント方式で着色された（Ａ）部位を有し、かつ（Ａ）部位の地色として（Ａ）部位の下および周囲が１％ｏｗｆ以下の淡色染色がなされていることを特徴とする特殊プリント物であり、またインクジェット方式等のデジタルプリント方式で着色された（Ａ）部位が、ポリエステル繊維を６０（重量）％以上含む布帛である前記の特殊プリント物であり、（Ａ）部位が昇華性染料で染色されかつ（Ａ）部位の地色が反応性染料で染色され前記の特殊プリント物であり、さらにまた、地色として布帛を浸染または糸染めで１％ｏｗｆ以下の染色をして地色淡色染を行った淡色染め布帛を得て、得られた布帛の部位（Ａ）にインクジェット方式等のデジタルプリント方式で染色することを特徴とする特殊プリント物の製法である。
【０００９】
【発明の実施の形態】
本発明においては、インクジェット方式等のデジタルプリント方式で着色する方式としては、レーザープリント方式、電子写真方式やインクジェット方式が挙げられるが、その中でインクジェット方式におけるプリント法においては、バブルインクジェット方式、ピエゾインクジェット方式等種々のインクジェット方式の一に限定されることなくそれらのうちから、適宜選択し採用したインクジェット方式で着色することであり、またこれらのインクジェット方式等のデジタルプリント方式で特定の柄を、直接衣服構成部位や布帛に該インクジェット方式等のデジタルプリント方式で着色（プリント）してもよく、またインクジェット方式等のデジタルプリント方式で昇華性染料を使用して転写紙などに一旦プリントして得た転写紙（図柄紙）を以って布帛や衣服に転写し着色する方式（転写方式）で衣服構成部位や布帛に着色してもよいものである。
中でもデジタルプリント方式で昇華性染料を使用して転写紙などに一旦プリントして得た転写紙（図柄紙）を以って布帛や衣服に転写し着色する方式（転写方式）で衣服構成部位や布帛に着色する転写方式が滲みの発生や後発色の工程が不要で最も好ましいデジタルプリント方式である。
本発明において、使用される布帛とは、特に限定されるものではなく、例えば木綿（コットン）１００％及び他繊維との混紡品、混織品、混編品や、ポリエステル繊維１００％及び他繊維との混紡品、混織品、混編品（ダブルニット等）、羊毛、絹、ナイロン、等公知の繊維の１００％及び他繊維との混紡品、混織品、混編品が挙げられる。
これら布帛の中でも、転写方式が効果的に採用できる布帛である、布帛の６０％以上がポリエステル繊維で構成されるポリエステル系素材、布帛の６０％以上がアセテート繊維で構成されるアセテート系素材が好ましい。
これらの中で、袖部、襟部、胴部、左脚部、右脚部、ポケット部、ポケット蓋部等の複数部位から構成される衣服の、該複数部位の少なくとも一部位がインクジェット方式で着色された部位（Ａ）に使用する布帛（または衣服の構成部位である布帛）については、ポリエステル繊維１００％及び他繊維との混紡品、混織品、混編品と木綿（コットン）１００％及び他繊維との混紡品、混織品、混編品とが好ましく，より好ましくはポリエステル繊維１００％及び他繊維との混紡品、混織品、混編品であり、更に具体的な好ましい例としては、着色される側の布帛がポリエステル繊維６０％以上の布帛でありその他の部分が任意の布帛である。
【００１０】
本発明においては、（Ａ）部位においてはインクジェット方式等のデジタルプリント方式が使用されるが、地色染色に使用される着色方式は、従来公知の染色法式が限定なく使用できるものであり、例えば布帛を組み立てている繊維を予め糸染めし、少なくともその糸を使用して布帛を織、編して布帛とする先染め方法、インクジェットプリント方式、浸染方式等が挙げられ、これらに限定されずまたこれらを組み合わせて使用してもよいものである。しかし本発明の主旨からしてこれらの地色のプリント（染色）は１％ｏｗｆ以下である必要があり、１％ｏｗｆを越える染色は（Ａ）部位においてなされるインクジェット方式等のデジタルプリントのの色合いに影響がありすぎて、重ねプリントが色合いの面からきわめて困難なものとなる。
地色のプリント（染色）として１％ｏｗｆ以下が好ましいが、さらに好ましくは０．８％ｏｗｆ以下である。
【００１１】
以下に、本発明を実施例で説明するが、本発明はこれらの実施例に限定されるものではない。
【実施例】
＊実施例１
（Ｍ寸法）Ｔシャツを、襟部位、左袖部位、右袖部位、胴部位、ポケット部位共、ポリエステル１００％使用糸と木綿１００％使用糸を用いて表ポリエステル１００％使用糸、裏木綿１００％使用糸となるように混編してダブルニット布帛とし、この布帛を用いて縫製し、グレイ色、緑色、青色、茶色、黄色の反応性染料を使用して、０．５％ｏｗｆで浸染し、裏木綿部位がそれぞれの淡色に染まったＴシャツを得た。
得られた淡色染めグレイ色、緑色、青色、茶色、黄色と染色前の白地のＴシャツを用意し、冬枯れ風景の中の田舎家を描いた絵を、スキャニングしてパソコンに取り込み、その取り込まれた画像を同一画像で６枚、転写紙に各色の昇華性染料インクを装填したインクジェットプリンターでプリントした。このプリントされた６枚の転写紙をそれぞれ前記のＴシャツに、プリント部を重ね１９０℃で６０秒の間圧接して、画像を転写した。
得られた各色Ｔシャツは、もともとの取り込んだ絵が細部まで鮮明にプリントされたものであり、色合いはプリントされた絵の色合いは微妙にそれぞれ異なるが異常な感じを抱かせるものではなく、ファッション性にも優れたものであった。白地Ｔシャツの場合も同じように取り込んだ絵が細部まで鮮明にプリントされたものとなっていたが、シンプルすぎて今ひとつファッション性にも優れたものとは言い難いものであった。
【００１２】
＊実施例２
実施例１と同様にして得られた淡色染めグレイ色、緑色、青色、茶色、黄色と染色前の白地のＴシャツを用意し、露が表面に多数存在する柿の写真を、スキャニングしてパソコンに取り込み、その取り込まれた画像を同一画像で６枚、転写紙に各色の昇華性染料を含んだトナーを装填したレーザープリンターでプリントした。このプリントされた６枚の転写紙をそれぞれ前記のＴシャツに、プリント部を重ね１９０℃で６０秒の間圧接して、画像を転写した。
得られた各色Ｔシャツは、もともとの取り込んだ写真が細部まで鮮明にプリントされたものであり、色合いはプリントされた絵の色合いは微妙にそれぞれ異なるが異常な感じを抱かせるものではなく、ファッション性にも優れたものであった。白地Ｔシャツの場合も同じように取り込んだ絵が細部まで鮮明にプリントされたものとなっていたが、シンプルすぎて今ひとつファッション性にも優れたものとは言い難いものであった。
【００１３】
＊比較例１
（Ｍ寸法）Ｔシャツを、襟部位、左袖部位、右袖部位、胴部位、ポケット部位共、ポリエステル１００％使用糸と木綿１００％使用糸を用いて表ポリエステル１００％使用糸、裏木綿１００％使用糸となるように混編してダブルニット布帛とし、この布帛を用いて縫製し、グレイ色、緑色、青色、茶色、黄色の反応性染料を使用して、１．５％ｏｗｆで浸染し、裏木綿部位がそれぞれの色に染まったＴシャツを得た。
得られたグレイ色、緑色、青色、茶色、黄色のＴシャツを用意し、冬枯れ風景の中の田舎家を描いた絵を、スキャニングしてパソコンに取り込み、その取り込まれた画像を同一画像で５枚、転写紙に各色の昇華性染料インクを装填したインクジェットプリンターでプリントした。このプリントされた５枚の転写紙をそれぞれ前記のＴシャツに、プリント部を重ね１９０℃で６０秒の間圧接して、画像を転写した。
得られた各色Ｔシャツは、もともとの取り込んだ絵が細部まで鮮明にプリントされたものであったが、色合いはプリントされた絵の色合いは多いに異なったものとなり、異常な感じを抱かせるものとなってしまった。
【００１４】
【発明の効果】
本発明によれば、個人的な好みにできるだけ小ロットで対応し得てかつ地色を有する衣服や布帛製品などの上にインクジェット方式等デジタルプリントで細密画像をプリントした衣服や布帛を提供することができ、且つコスト的低減の可能な衣服や布帛の製作、及びそれらの衣服や布帛を個人に素早く提供でき、地色を有する衣服や布帛製品などの上にインクジェット方式等デジタルプリントで細密画像をプリントしても、地色にさほど影響されることなく、低コストで多種多様なデザインに対応でき、ファッション性優れかつデザイン的な選択の幅が制限されず、製品品質上からも上質のものが得られる衣服や布帛などの繊維製品を提供することができる。